(57)【特許請求の範囲】
【請求項１】
食器類を内部の洗浄槽に収める本体と、洗浄槽に収められた食器類を湯水にて洗浄する洗浄手段と、洗浄された食器類を乾燥する乾燥手段と、洗浄手段および乾燥手段の運転内容を指示入力する入力手段と、入力手段による指示に基づいて洗浄手段および乾燥手段の運転を実行制御するとともに、運転状況を把握する制御手段と、制御手段からの指示により運転状況に応じた音声メッセージを発生する音声発生手段とを備えた食器洗浄機であって、制御手段は、乾燥手段の運転時、当該食器洗浄機が設置されたキッチン内の換気を行う換気扇の動作を促す内容の音声メッセージを音声発生手段から発生させるとともに、乾燥手段の運転後に、前記換気扇の停止を促す内容の音声メッセージを音声発生手段から発生させることを特徴とする食器洗浄機。
【発明の詳細な説明】
【０００１】
【発明の属する技術分野】
本発明は、食器洗浄機に関するものである。
【０００２】
【従来の技術】
従来より、操作部にランプや発光ダイオード等の発光体を備え、この発光体の発光により運転状況を表示するとともに、異常発生時には、例えば発光体の発光および消光ならびに明滅などの点灯状態、又は複数の発光体の点灯状態の組合せを正常時と異なるようにすることにより、異常の内容を報知をする食器洗浄機がある。また、操作部の電源スイッチやスタートスイッチ、または洗浄コースを選択するコーススイッチなどのスイッチを押すとブザー音が鳴るとともに、異常が発生したときには、正常時と異なるブザー音を鳴らして異常の種類を報知するものもある。例えば、操作部のスイッチを押したときには「ピッ」と鳴り、運転終了時には「ピーピー…」と鳴り、これらの正常時のブザー音とは異なって、異常が発生したときには「ピピピピピ…」と鳴るようにしている。
【０００３】
このような従来の食器洗浄機は、発光体を発光又はブザー音を発生させて運転状況を報知し、発光体の発光状態またはブザー音の種類から食器洗浄機の運転状況の内容を把握することができる。
【０００４】
【発明が解決しようとする課題】
しかしながら、上述のような発光体またはブザー音による報知だけでは、運転状況の内容を把握することが難しく、運転状況の内容を把握するのに取扱説明書などが必要となって手間がかかるといった問題があり、特に取扱説明書を紛失した場合には、異常が発生したときの正常状態への回復が難しくなってしまうという問題があった。また、報知しようとする運転状況の種類が多い場合には、それぞれの発光状態またはブザー音の種類を明確に区別することが難しくなって、取扱説明書などを参照しても誤って運転状況を把握してしまったり、さらには正常か異常かの判別も難しくなってしまうことがあった。しかもブザー音だけで異常を報知するような食器洗浄機にあっては、台所やリビングに設置された他の機器からの多種多様なブザー音によって、食器洗浄機からのブザー音であるか、或いは他の機器からのブザー音であるかさえも判別し難くなってしまうという問題があった。
【０００５】
本発明は上記問題点の解決を目的とするものであり、運転状況を明確、且つ容易に把握することができ、使い勝手を向上した食器洗浄機を提供する。
【０００６】
【課題を解決するための手段】
上記目的を達成するために、請求項１の発明は、食器類を内部の洗浄槽に収める本体と、洗浄槽に収められた食器類を湯水にて洗浄する洗浄手段と、洗浄された食器類を乾燥する乾燥手段と、洗浄手段および乾燥手段の運転内容を指示入力する入力手段と、入力手段による指示に基づいて洗浄手段および乾燥手段の運転を実行制御するとともに、運転状況を把握する制御手段と、制御手段からの指示により運転状況に応じた音声メッセージを発生する音声発生手段とを備えた食器洗浄機であって、制御手段は、乾燥手段の運転時、当該食器洗浄機が設置されたキッチン内の換気を行う換気扇の動作を促す内容の音声メッセージを音声発生手段から発生させるとともに、乾燥手段の運転後に、前記換気扇の停止を促す内容の音声メッセージを音声発生手段から発生させることを特徴とし、音声発生手段から運転状況に応じた音声メッセージを発生することによって、従来のように取扱説明書を参照することなく、多数の運転状況を明確に区別して容易に知らせることができ、使い勝手を向上することができる。また、換気扇の動作を促す内容の音声メッセージを発生することによって、換気扇を動作させた方が良いということを明確に、且つ容易に知らせることができ、早期に換気扇を動作させて排気される高温多湿の空気が周囲で結露するのを防いだり、例えば設置されたキッチン内の温度上昇による不快感を早期に軽減することができるとともに、換気扇の停止を促す内容の音声メッセージを発生することによって、換気扇を停止させた方が良いということを明確に、且つ容易に知らせることができ、換気扇の停止を忘れることを防止することができる。
【００１６】
【発明の実施の形態】
本実施形態の食器洗浄機は、図１乃至図４に示すように、食器類を内部の洗浄槽３ａに収める本体１と、洗浄槽３ａに収められた食器類を湯水にて洗浄する洗浄手段４０と、洗浄された食器類を乾燥する乾燥手段５０と、洗浄手段４０および乾燥手段５０の運転内容を指示入力する入力手段たる操作部１０と、操作部１０による指示に基づいて洗浄手段４０および乾燥手段５０の運転を実行制御するとともに、運転状況を把握する制御手段たるマイクロコンピュータ（以下「マイコン」と略す）１１と、マイコン１１からの指示により運転状況に応じた音声メッセージを発生する音声発生手段２０とを備えている。
【００１７】
本体１は、一面を開口して略矩形箱状に形成され、開口面には内部の洗浄槽３ａを開閉自在に閉塞するドア２が取り付けられているので、食器類はドア２を開けて洗浄槽３ａに出し入れされる。
【００１８】
洗浄手段４０は、洗浄槽３ａの上下に配設され、食器類に湯水を噴射するノズル４，４と、手動給湯栓を備えた給湯器（図示せず）からの温度調整された湯水を洗浄槽３ａに給水するための給水電磁弁５と、本体１の下部に収められ、洗浄槽３ａに溜まった湯水を加圧してノズル４，４に供給する洗浄ポンプ６ａと、同様に本体１の下部に収められ、洗浄槽３ａに溜まった湯水を排水する排水ポンプ６ｂとからなり、洗浄槽３ａ内に収められた食器類をノズル４，４から湯水を噴射させて洗浄する。
【００１９】
乾燥手段５０は、洗浄槽３ａ内部を加熱するヒーター７と、洗浄槽３ａ内の空気を外部に排気する乾燥ファン８とからなり、濡れた食器類をヒーター７による加熱及び乾燥ファン８による換気によって乾燥する。
【００２０】
また、本体１の上側部には、ドア２の開閉によってオン／オフされる開閉検知手段たるスイッチ１２が取り付けられ、洗浄槽３ａ内には、洗浄槽３ａ内の温度を検知する温度検知手段たるサーミスタ１３が取り付けられている。
【００２１】
マイコン１１は、操作部１０による指示に基づいて、入出力部１４を介して洗浄手段４０の洗浄ポンプ６ａ及び排水ポンプ６ｂ並びに給水電磁弁５と、乾燥手段５０のヒーター７及び乾燥ファン８とを制御するとともに、スイッチ１２とサーミスタ１３からの信号が入出力部１４を介して入力されて、ドア２の開閉状態と洗浄槽３ａ内の温度を把握することができる。
【００２２】
音声発生手段２０は、後述する複数の音声メッセージが予め記憶され、マイコン１１からの指示により１乃至複数の音声メッセージを選択するとともに合成して音声信号を出力する音声合成回路２１と、音声信号を増幅する増幅回路２２と、増幅された音声信号により鳴動されるスピーカー２３とからなる。
【００２３】
ところで、上述のマイコン１１と入出力部１４と音声発生手段２０の音声合成回路２１と増幅回路２２とは、これらに応じた共通の電源を、外部電源を電源として作成しそれぞれに供給する電源回路１５と共に同じ制御基板１６上に実装される。また、操作部１０を構成する回路部品と、操作部１０により操作された内容を発光ダイオード等の発光体により表示する表示部１７を構成する回路部品とは、それぞれ同じ操作基板１８上に実装される。操作基板１８は、操作部１０と表示部１７がドア２の上部前面側に配置されるように制御基板１６とともにドア２の内部に取り付けられ、スピーカー２３は、ドア２の内部前面側に配置される。
【００２４】
このような食器洗浄機を用いて食器類を洗浄するときには、ドア２を開いて洗浄槽３ａ内に予め収められている専用の食器籠３０を外に引き出して、洗浄しようとする食器類を食器籠３０に入れる。そして、食器類を入れた食器籠３０を再び洗浄槽３ａ内にスライドさせるように収め、ドア２を閉じる。
【００２５】
次に操作部１０に設けられた電源スイッチをオンし、洗浄コース及びすすぎモードを操作部１０で選択設定する。洗浄コースでは、洗浄行程とすすぎ行程と乾燥行程との組合せ及び各行程の実施時間などから例えば「標準」，「念入り」，「スピーディー」などのコースを選択し、すすぎモードでは、洗浄コースで実施されるすすぎ行程の種類を例えば「標準すすぎ」又は「高温すすぎ」などから選択する。
【００２６】
なお、洗浄行程では、マイコン１１は予め洗剤が投入された洗浄槽３ａ内に給水電磁弁５を開いて湯水を溜め、ヒーター７により湯水を加熱した後、湯水を洗浄ポンプ６ａの駆動により２つのノズル４，４から食器類に噴射させて食器類を洗浄する。すすぎ行程では、マイコン１１は洗浄により汚れた湯水を排水ポンプ６ｂにより排水し、再び給水電磁弁５を開いて洗浄槽３ａ内に湯水を溜めて、湯水を洗浄ポンプ６ａの駆動により２つのノズル４，４から食器類に噴射させてすすぎ、乾燥行程では、洗浄槽３ａ内に溜まった湯水を排水ポンプ６ｂにより排水し、その後ヒーター７により洗浄槽３ａ内の空気を高温にするとともに乾燥ファン８を駆動して外部に高温多湿の空気を排気し、食器類を乾燥する。またドライ行程は、洗浄コースの各行程が終了した後に、乾燥ファン８によって換気のみ行うものであり、ドライ行程を行うときには洗浄を開始する前に予め操作部１０にてドライ行程の有無を選択設定しておく。
【００２７】
選択された洗浄コースの各行程が終了すると、マイコン１１は、後述の音声メッセージによる運転終了の報知を行い、自動的に電源をオフにする。ここでドライ行程が有りに選択設定されていれば、乾燥ファン８だけを所定時間駆動して外部に空気を排気し、洗浄コースの運転終了後に洗浄槽３ａ内が冷却されたときの再結露を防止するためのドライ行程を実行する。
【００２８】
ところで本実施形態では、音声発生手段２０を設けて、マイコン１１は、音声発生手段２０から運転状況に応じた音声メッセージを発生することによって、運転状況をユーザーに知らせながら上述のような洗浄手段４０ならびに乾燥手段５０の運転制御を行い、以下その行程について図５〜図８に基づいて説明する。
【００２９】
まず、図５に示すように、操作部１０の電源スイッチが押されて、マイコン１１が起動すると（Ｓ１）、マイコン１１は、電源がオンされたことを知らせる音声メッセージＭ１と、予め設定されている洗浄コースを知らせる音声メッセージＭ２と、予め設定されているすすぎモードを知らせる音声メッセージＭ３と、予め設定されているドライ行程の有無を知らせる音声メッセージＭ４とをスピーカー２３からそれぞれ順に発生させる（Ｓ２）。そしてさらに、マイコン１１は、洗浄コースの切換方法などの使用方法のガイダンスを知らせる音声メッセージＭ５と、スタート方法などの使用方法のガイダンスを知らせる音声メッセージＭ６とを発生させる（Ｓ３）。
【００３０】
これらの音声メッセージＭ１〜Ｍ６の具体的な内容は予め音声合成回路２１に記憶させておき、例えば図９に示すように、音声メッセージＭ１を「電源がＯＮしました」、音声メッセージＭ２を「洗浄コースは（選択メッセージＷ１）です」、音声メッセージＭ３を「すすぎモードは（選択メッセージＷ２）です」、音声メッセージＭ４をドライ行程が有りに選択されているときには「ドライ行程選択しています」、又はドライ行程が有りに選択されていないときには「ドライ行程選択していません」、音声メッセージＭ５を「洗浄コースの切り替えはコーススイッチを押してください」、音声メッセージＭ６を「運転を開始するときは、スタートスイッチを押してください」とする。
【００３１】
また、選択メッセージＷ１は、洗浄コースに「標準」「念入り」「スピーディ」「快速」「乾燥のみ」がある場合、図１０に示すように、予め音声合成回路２１に記憶されている「標準」「念入り」「スピーディ」「快速」「乾燥のみ」から、設定されている洗浄コースに合わせて選択され、音声メッセージＭ２と音声合成回路２１で合成してスピーカー２３から発生される。同様に選択メッセージＷ２は、すすぎモードに「標準すすぎ」「高温すすぎ」がある場合、「標準すすぎ」「高温すすぎ」から設定されているすすぎモードに合わせて選択され、音声メッセージＭ３と合成してスピーカーから発生される。
【００３２】
さらに、このような音声メッセージＭ１〜Ｍ６に対して増幅回路２２の音声信号の増幅率を調整可能とすることによって、音声メッセージＭ１〜Ｍ６の音量を調整して、周囲の状況に合わせて音声メッセージＭ１〜Ｍ６を聞き取り易くすることができる。また、音声メッセージＭ１〜Ｍ６の発生／非発生の切換設定機能を設けることによって、使い慣れたユーザーにとって必要のない音声メッセージを発生しないようにして、使い勝手をユーザーに合わせてさらに向上することができる。またさらに、音声メッセージＭ１の代わりに「ピッ」と短く一回鳴るブザー音を発生させるようにすることによって、他の音声メッセージとの違いをより明確にすることができる。
【００３３】
次に、操作部１０のコーススイッチが押されると、マイコン１１は、コーススイッチが押されたことを検知して（Ｓ４）、洗浄コース及びすすぎモードを切り換え、切り換えて新たに設定された洗浄コースを知らせる音声メッセージＭ７と、切り換えて新たに設定されたすすぎモードを知らせる音声メッセージＭ８とを発生させ（Ｓ５）、さらにスタート方法を知らせる音声メッセージＭ９を発生させる（Ｓ６）。音声メッセージＭ７〜Ｍ９の具体的な内容は、音声メッセージＭ２，Ｍ３，Ｍ６と同様であって、選択メッセージＷ１，Ｗ２のみが、切り換えて新たに設定された洗浄コース又はすすぎモードに合わせて変更される。
【００３４】
そして、マイコン１１は、操作部１０のスタートスイッチが押されると、スタートスイッチが押されことを検知し（Ｓ７）、例えば「（選択メッセージＷ１）、（選択メッセージＷ２）で運転をスタートしました」といった運転開始を知らせる内容の音声メッセージＭ１０を発生させる（Ｓ９）。ここで、スタートスイッチが所定時間以上押し続けられると、マイコン１１は運転中の操作部１０のスイッチ操作を受け付けないようにするロック機能を動作させ、「ロックされました」といった音声メッセージも音声メッセージＭ１０と合わせて発生させる。なお、音声メッセージＭ１０は、「ピッ」と短く一回鳴るブザー音に切り換え可能としている。スタートスイッチが押されたという信号が設定された時間内に入力されなかった場合には（Ｓ８）、図６に示すように、異常の発生を知らせる音声メッセージＭ２３と、異常の内容に応じた処理方法を知らせる音声メッセージを発生させる（Ｓ１６）。音声メッセージＭ２３の具体的な内容は、例えば「ピ、ピ、…機器に異常が発生しました」であり、このような異常を知らせる音声メッセージに対しては、発生／非発生の切換設定機能を設けずに常に発生させるようにし、増幅回路２２の音声信号の増幅率を予め大きくして調整できないようにした方が良い。また、設定された時間内に他のスイッチが押されたという信号を入力したときには（Ｓ８）、ステップＳ４に戻る。
【００３５】
ところで、すすぎ行程が終了して洗浄槽３ａ内の湯水を排水ポンプ６ｂにより排水して乾燥行程に移行しようとしているとき、又は乾燥手段の動作時、つまり、乾燥行程中の乾燥ファン８を駆動して洗浄槽３ａ内の空気を排気口から外部に排気しているとき、マイコン１１は、サーミスタ１３からの信号を入力し、洗浄槽３ａ内の温度が高温であると判断すると、例えば「排気口から排気が出ます。注意して下さい」といった排気に対して注意を喚起する内容の音声メッセージを発生させる。このような音声メッセージを発生することによって、高温の空気が排気されることを明確に、且つ容易に知らせることができ、排気に対して早期に注意を払うことができ、外部に排気される高温多湿の空気を避けて安全に運転することができるとともに、衣服が濡れることを防止することができる。さらに、例えば「換気扇を動作させてください」といった換気扇の動作を促す内容の音声メッセージを発生させる。このような音声メッセージを発生することによって、換気扇を動作させた方が良いということを明確に、且つ容易に知らせることができ、早期に換気扇を動作させて排気される高温多湿の空気が周囲で結露するのを防いだり、例えば食器洗浄機が設置されたキッチン内の温度上昇による不快感を早期に軽減することができる。また乾燥行程終了後には、例えば「換気扇を止めてください」といった換気扇の停止を促す内容の音声メッセージを発生させる。このような音声メッセージによって、換気扇を停止させた方が良いということを明確に、且つ容易に知らせることができ、換気扇の停止を忘れることを防止することができる。
【００３６】
そして、マイコン１１は、運転中に操作部１０の一時停止ボタンが押されたとき、一時停止ボタンが押されたことを検知し（Ｓ１０）、入出力部１４を介して洗浄手段４０又は乾燥手段５０の運転を一時停止し、操作部１０のスタートスイッチが押されるまで待機する。このとき、マイコン１１は、例えば「一時停止しました」といった一時停止を知らせる内容の音声メッセージＭ１１を発生させる（Ｓ１１）。しかし、ロック中である場合には洗浄手段４０又は乾燥手段５０の運転を継続し、音声メッセージＭ１１の代わりに「ロック中です、一時停止できません」といった一時停止できないことを知らせる内容の音声メッセージを発生させる。なお、音声メッセージＭ１１は、「ピッ」と短く一回鳴るブザー音に切り換え可能としている。
【００３７】
さらに、一時停止時にドア２が開放されたとき、マイコン１１は、スイッチ１２からの信号を入力してドア２が開放されたことを検知し、サーミスタ１３からの信号を入力して、洗浄槽３ａ内の温度が例えば約５０℃以上の高温であると判断した場合には、例えば「洗浄槽内は高温です、やけどに注意してください」といった洗浄槽３ａ内の温度に対して注意を喚起する内容の音声メッセージＭ１２や、それと合わせて「汚れた食器を追加するときれいに洗えない場合があります」といった内容の音声メッセージを付け加えて発生させても良い（Ｓ１２）。このような音声メッセージＭ１２によって、ドア２を開けたとき洗浄槽３ａ内の空気や食器類などが高温であることを明確に、且つ容易に知らせることができ、洗浄槽３ａ内の空気や食器類などに対して早急に注意を払うことができ、安全に取り扱うことができる。音声メッセージＭ１２のような注意を喚起する内容の音声メッセージに対しては、異常の発生などを知らせる音声メッセージＭ２３と同様に、発生／非発生の切換設定機能を設けずに常に発生させるようにし、増幅回路２２の音声信号の増幅率を予め大きくして調整できないようにした方が良い。また、マイコン１１は、サーミスタ１３からの信号を入力して洗浄槽３ａ内の温度が例えば約５０℃未満と判断した場合には、洗浄槽３ａ内の湯水に対して注意を喚起する内容の音声メッセージを発生させるようにしても良く、ドア２を開けたときに湯水が外に出て来る可能性があることを明確に、且つ容易に知らせることができて、さらに安全に取り扱うことができる。
【００３８】
次に、マイコン１１は、操作部１０のスタートスイッチが押されたことを検知すると（Ｓ１３）、一時停止した洗浄手段４０又は乾燥手段５０の運転を、洗浄コースの一時停止された時点から再び開始し、例えば「運転を再開しました」といった再運転したことを知らせる内容の音声メッセージＭ１３を発生させる（Ｓ１５）。ここで、スタートスイッチが押されたことを設定された時間内に検知しなかった場合には（Ｓ１４）、異常の発生を知らせる音声メッセージＭ２３と、異常の内容に応じた処理方法を知らせる音声メッセージを発生させ（Ｓ１６）、設定された時間内に他のスイッチが押されたことを検知したときには（Ｓ１４）、ステップＳ１３に戻る。
【００３９】
さらに、図７に示すように、マイコン１１は運転中異常の発生を常時監視し、異常の発生を検知しなかったときには（Ｓ１７）、運転を終了し（Ｓ１８）、例えば「運転を終了しました、電源をＯＦＦします」といった運転終了を知らせる内容の音声メッセージＭ１７か、ドライ行程が有りに選択されている場合には「引き続きドライ行程を行います」といったドライ行程を行うことを知らせる内容の音声メッセージを発生させる（Ｓ１９）。上述のように運転終了を知らせる音声メッセージＭ１７を発生することによって、運転が終了したことを明確に、且つ容易に知らせることができる。また、音声メッセージＭ１７は、例えば「ピー、ピー、…」と約２０秒鳴り続けるブザー音に切り換え可能としている。なお、マイコン１１は、運転中に異常の発生を検知したときには、上述の音声メッセージＭ２３を発生させる（Ｓ１６）。
【００４０】
ところで運転開始時に、マイコン１１が給湯器の設定温度を洗浄に適した温度に変更するように促す内容の音声メッセージを発生させたときには、運転終了後に、例えば「給湯器の温度設定を下げてください」とった給湯器の設定温度の変更を促す内容の音声メッセージを発生させるようにしても良い。これにより、運転開始時には給湯器の設定温度を上げた方が良いということを明確に、且つ容易に知らせることができるとともに、運転終了後には、給湯器の設定温度を下げた方が良いということを明確に、且つ容易に知らせることができ、食器類の洗浄のために高温に温度調整されていた湯水を例えば給湯器に備えられた手動給湯栓などから気づかずに出してしまうことを防止することができて、安全に取り扱うことができる。
【００４１】
さらに運転終了後、食器類を取り出そうとしてドア２が開放されたとき、マイコン１１は、スイッチ１２からの信号を入力してドア２が開放されたことを検知し（Ｓ２０）、サーミスタ１３からの信号を入力して、洗浄槽３ａ内の温度が例えば約５０℃以上の高温であると判断した場合には、例えば「食器は高温です、やけどに注意してください」といった食器類に対する注意を喚起する内容の音声メッセージＭ１８を発生させる（Ｓ２１）。
【００４２】
次に、マイコン１１は、運転終了の内容を音声メッセージＭ１７で知らせるか、或いはブザー音によって知らせるかの設定が変更されたとき、設定変更の信号を入力し（Ｓ２２）、音声メッセージＭ１７で知らせるように設定されたときには、例えば「運転終了時は音声でお知らせします」といった内容か、ブザー音で知らせるように設定されたときには、例えば「運転終了時は音声でお知らせしません」といった内容の音声メッセージＭ１９を発生させる（Ｓ２３）。
【００４３】
そして、マイコン１１は、ドライ行程の有無の設定変更を行うか、行わないかの設定が変更されたとき、設定変更の信号を入力し（Ｓ２４）、ドライ行程を有りに変更されたときには、例えば「ドライ行程をセットしました」といった内容か、ドライ行程を無しに変更されたときには、例えば「ドライ行程をリセットしました」といった内容の音声メッセージＭ２０を発生させる（Ｓ２５）。
【００４４】
また、マイコン１１は、音声メッセージの音量を変更するか、変更を行わないかの設定が変更されたとき、設定変更の信号を入力し（Ｓ２６）、例えば「音声メッセージ音量を（選択メッセージＷ３）にセットしました、ただいまセットされた音量です」といった音量の変更を知らせる内容の音声メッセージＭ２１を発生させる（Ｓ２７）。なお、選択メッセージＷ３は、図１０に示すように変更された音量に合わせて「大」「中」「小」「切り」から選択されて音声メッセージＭ２１に合成して発生される。
【００４５】
さらに、マイコン１１は、音声メッセージＭ５，Ｍ６などの使用方法のガイダンスを知らせる音声メッセージの発生／非発生の切換が変更されたとき、切換変更の信号を入力し（Ｓ２８）、発生するように切り換えられたときには、例えば「音声での操作案内をセットしました」といった内容か、非発生に切り換えられたときには、例えば「音声での操作案内をリセットしました」といった内容の音声メッセージＭ２２を発生させる（Ｓ２９）。
【００４６】
ところで、マイコン１１は、図８に示すように、運転中に操作部１０のスイッチ操作が行われたという信号を入力すると（Ｓ３０）、ロック中の場合、例えば「ロック中です、スイッチは操作できません」といった内容か、ロックしていない場合でもコーススイッチが押されたという信号を入力したときには、例えば「運転中です、コースは変更できません」といった内容の音声メッセージＭ１４を発生させる（Ｓ３１）。再度コーススイッチが押されたという信号を入力したときには（Ｓ３２）、マイコン１１は、例えば「コースの変更は電源をＯＦＦ後はじめからやり直してください」といった使用方法のガイダンスを知らせる音声メッセージＭ１５を発生させる（Ｓ３３）。
【００４７】
その他、洗浄槽３ａ内への給水の異常を検知する給水検知手段を備えて、給水時に異常の発生を検知したときには、マイコン１１は、例えば「水道栓がしまっている可能性があります、点検してください」といった異常の内容を知らせるとともに、異常の内容に応じた処置方法を知らせる音声メッセージＭ２４を発生させる。また、洗浄槽３ａからの漏水を検知する漏水検知手段を備えて、漏水が検出されたときには、マイコン１１は、例えば「水漏れが発生しています、直ちに水道栓を閉じて下さい」といった音声メッセージＭ２５を発生させ、その後、例えば「点検、修理を依頼して下さい」といったガイダンスの音声メッセージＭ２６を付け加えて発生させても良い。
【００４８】
さらに、洗浄コースの乾燥行程の時間を約２０分又は約６０分に変更したり、乾燥方法を送風のみによる乾燥か、余熱による乾燥かを選択変更することができる乾燥モード選択機能を備えた食器洗浄機に対しては、マイコン１１は、乾燥モードが変更されたとき、例えば「乾燥モードは（選択メッセージＷ４）です」といった内容の音声メッセージＭ２７を発生させ、余熱による乾燥が選択設定されたときには、例えば「余熱乾燥では、十分に乾燥しない場合があります」といった内容の音声メッセージＭ２８を発生させるようにしても良い。なお、選択メッセージＷ４は、図１０に示すように、選択された乾燥モードに合わせて「２０分」「６０分」「送風のみ」「余熱」から選択されて音声メッセージＭ２７に合成して発生される。
【００４９】
さらにまた、運転開始までの予約時間を２時間又は４時間或いは６時間から選択できる予約機能を備えた食器洗浄機に対しては、マイコン１１は、予約時間が選択設定されたとき、選択された予約時間に合った選択メッセージＷ５を「２時間」「４時間」「６時間」から選んで、例えば「予約時間は（選択メッセージＷ５）です」といった内容のメッセージＭ２９に合成させて発生させるようにしても良い。
【００５０】
上述のように本実施形態では、使用方法のガイダンスを知らせる音声メッセージＭ５，Ｍ６，Ｍ１５や、運転状況を知らせる音声メッセージＭ１０，Ｍ１１，Ｍ１３を発生させることによって、使用方法および運転状況を、従来例のように取扱説明書などを要せず、明確に、且つ容易に知らせることができて、使い勝手を向上することができる。
【００５１】
さらに、異常が発生したとき、異常の発生を知らせる音声メッセージＭ２３と、異常の内容ならびに異常の内容に応じた処置方法を知らせる音声メッセージＭ２４，Ｍ２５などを発生させることによって、異常の発生および異常の内容ならびに処置方法を明確に、且つ容易に知らせることができて、早急に対処することができる。
【００５２】
【発明の効果】
請求項１の発明は、食器類を内部の洗浄槽に収める本体と、洗浄槽に収められた食器類を湯水にて洗浄する洗浄手段と、洗浄された食器類を乾燥する乾燥手段と、洗浄手段および乾燥手段の運転内容を指示入力する入力手段と、入力手段による指示に基づいて洗浄手段および乾燥手段の運転を実行制御するとともに、運転状況を把握する制御手段と、制御手段からの指示により運転状況に応じた音声メッセージを発生する音声発生手段とを備えた食器洗浄機であって、制御手段は、乾燥手段の運転時、当該食器洗浄機が設置されたキッチン内の換気を行う換気扇の動作を促す内容の音声メッセージを音声発生手段から発生させるとともに、乾燥手段の運転後に、前記換気扇の停止を促す内容の音声メッセージを音声発生手段から発生させるので、音声発生手段から運転状況に応じた音声メッセージを発生することによって、従来のように取扱説明書を参照することなく、多数の運転状況を明確に区別して容易に知らせることができ、使い勝手を向上することができるという効果がある。また、換気扇の動作を促す内容の音声メッセージを発生することによって、換気扇を動作させた方が良いということを明確に、且つ容易に知らせることができ、早期に換気扇を動作させて排気される高温多湿の空気が周囲で結露するのを防いだり、例えば設置されたキッチン内の温度上昇による不快感を早期に軽減することができるとともに、換気扇の停止を促す内容の音声メッセージを発生することによって、換気扇を停止させた方が良いということを明確に、且つ容易に知らせることができ、換気扇の停止を忘れることを防止することができるという効果がある。
【図面の簡単な説明】
【図１】実施形態を示すブロック図である。
【図２】同上の斜視図である。
【図３】同上のドアを開けたときの斜視図である。
【図４】同上の側面要部断面図である。
【図５】同上の動作説明用のフロー図である。
【図６】同上の他の動作説明用のフロー図である。
【図７】同上のさらに他の動作説明用のフロー図である。
【図８】同上のさらに他の動作説明用のフロー図である。
【図９】同上の音声メッセージの内容を示す説明図である。
【図１０】同上の選択メッセージの内容を示す説明図である。
【符号の説明】
５  給水電磁弁
６ａ  洗浄ポンプ
６ｂ  排水ポンプ
７  ヒーター
８  乾燥ファン
１０  操作部
１１  マイクロコンピュータ
１２  スイッチ
１３  サーミスタ
１４  入出力部
１５  電源回路
１７  表示部
２０  音声発生手段
２１  音声合成回路
２２  増幅回路
２３  スピーカー
【図１】
0004402254.tif 000002
【図２】
0004402254.tif 000003
【図３】
0004402254.tif 000004
【図４】
0004402254.tif 000005
【図５】
0004402254.tif 000006
【図６】
0004402254.tif 000007
【図７】
0004402254.tif 000008
【図８】
0004402254.tif 000009
【図９】
0004402254.tif 000010
【図１０】
0004402254.tif 000011